(57)【要約】      （修正有）【課題】複数枚の月日を表示しているカレンダー部を、前部支持板と後部支持板で支持している卓上カレンダーにおいて、前部支持板と後部支持板の下端面部に滑り止め部を設けて、起立角度を自由に変化させても滑らずに起立する卓上カレンダーを提供する。【解決手段】複数枚の月日を表示しているカレンダー部３を、前部支持板１と後部支持板２で支持している卓上カレンダーにおいて、前部支持板と後部支持板の下端面部に滑り止め部４を設けた。前部支持板と後部支持板のそれぞれの下部にゴムひもを取り付けられる穴または切り欠き、もしくは切れ目を設けた。複数枚の月日を表示しているカレンダー部と前部支持板と後部支持板の上端に綴じ穴をあけて綴じ具で綴じたことを特徴として卓上カレンダーを形成する。【選択図】図１
0003173430.tif 000002
【実用新案登録請求の範囲】
【請求項１】
複数枚の月日を表示しているカレンダー部を、前部支持板と後部支持板で支持している卓上カレンダーにおいて、前部支持板と後部支持板のそれぞれの下端面部に滑り止め部を設けたこと特徴とする卓上カレンダー。
【請求項２】
カレンダー前部支持板とカレンダー後部支持板に下端面と平行な折り筋を設けたことを特徴とする請求項１記載の卓上カレンダー。
【請求項３】
カレンダー部の天地長さをＸとし、カレンダー前部支持板及びカレンダー後部支持板のそれぞれの天地長さをＹとし、Ｘ＜Ｙの関係にあることを特徴とする請求項１、請求項２記載の卓上カレンダー。
【請求項４】
複数枚の月日を表示しているカレンダー部を、前部支持板と後部支持板で支持している卓上カレンダーにおいて、前部支持板と後部支持板のそれぞれの下部にゴムひもを取り付けられる穴または切り欠き、もしくは切れ目を設けたこと特徴とする卓上カレンダー。
【考案の詳細な説明】
【技術分野】
【０００１】  本考案は、卓上カレンダーに関する。
【背景技術】
【０００２】  従来の卓上カレンダーは、カレンダーを卓上に起立して使用するために、組み立て式の紙製ケースやプラスチックケースを別に用意し、カレンダー面が露出するようにケースに収納して使用する必要があった（特許文献１参照）。又は側面視三角筒形状として起立させていた（特許文献２参照）。
【先行技術文献】
【特許文献】
【０００３】
【特許文献１】特開平５−３４５８４２号公報
【特許文献２】特開２００８−０５５８１９号公報
【考案の概要】
【考案が解決しようとする課題】
【０００４】  従来の卓上カレンダーは、紙製のケースやプラスチックケースに収納し、または三角筒形状の支持具に取り付けるなどして、卓上に起立させていたため、ケースや支持具の形状による制約があり、一定の角度でしか起立できなかった。【０００５】  さらに、プラスチックケースなどを使用すると、廃棄する場合の環境問題や価格の低減に問題があった。【０００６】  本考案は上記の問題点を解決すべくなされたものであり、卓上カレンダーの起立角度を自由に変化させてカレンダーを見易くし、卓上に起立して使うこと、安価な商品として提供すること、廃棄の際も環境に配慮していることを課題とする。
【課題を解決するための手段】
【０００７】  本考案は以上の問題を解決するためになされたものであって、第１の考案は、複数枚の月日を表示しているカレンダー部を、前部支持板と後部支持板で支持している卓上カレンダーにおいて、前部支持板と後部支持板の下端面部にそれぞれ滑り止め部を設けたことを特徴とする卓上カレンダーである。【０００８】  第２の考案は、カレンダー前部支持板とカレンダー後部支持板に、下端面と平行な折り筋を設けたことを特徴とする第１の考案記載の卓上カレンダーである。【０００９】  第３の考案は、カレンダー部の天地長さをＸとし、カレンダー前部支持板及びカレンダー後部支持板のそれぞれの長さをＹとし、Ｘ＜Ｙの関係にあることを特徴とする第１の考案、第２の考案記載の卓上カレンダーである。【００１０】  第４の考案は、複数枚の月日を表示しているカレンダー部を、前部支持板と後部支持板で支持している卓上カレンダーにおいて、前部支持板と後部支持板のそれぞれの下部にゴムひもを取り付けられる穴または切り欠き、もしくは切れ目を設けたことを特徴とする卓上カレンダーである。
【考案の効果】
【００１１】  本考案による効果は、第１の考案によると、複数枚の月日を表示しているカレンダー部を、前部支持板と後部支持板で支持している卓上カレンダーにおいて、前部支持板と後部支持板の下端面部に滑り止め部を設けたこと特徴とする卓上カレンダーであるから、それぞれの支持板下端面部に設けた滑り止め部が机上面に直接接して滑らないので、カレンダー支持板部が自由な角度で卓上に起立することが出来る。【００１２】  第２の考案によると、カレンダー支持板下部を図２のように折り曲げることにより、カレンダー支持板部の起立角度が大きくなり、安定した起立が可能になる。さらに、上から押されたときカレンダー支持板に弾性が生じ、負荷に対する緩衝効果や復元効果が得られる。【００１３】  第３の考案によると、カレンダー部の天地長さをＸとし、カレンダー前部支持板及びカレンダー後部支持板のそれぞれの長さをＹとし、Ｘ＜Ｙの関係にあることを特徴とする第１の考案、第２の考案記載の卓上カレンダーであるから、起立角度（図２に示す∠Ａ）を大きくしてカレンダーを立てても、カレンダー部が直接机上面に接しないので、安定して起立する。【００１４】  第４の考案によると、市販の輪ゴムを簡単に装着出来て、輪ゴムの交換も容易である。輪ゴムが滑り止め部となり、机上面に直接接触することで、滑らずにカレンダー支持板部が自由な角度で卓上に起立することが出来る。
【図面の簡単な説明】
【００１５】
【図１】  本考案の卓上カレンダーの第一の実施形態を斜め前方より見た斜視図
【図２】  図１の卓上カレンダーの側面図
【図３】  卓上カレンダー支持板下端面部に連続的に滑り止め部を設けた斜視図
【図４】  卓上カレンダー支持板下端面部に断続的に滑り止め部を設けた斜視図
【図５】  卓上カレンダー支持板下端部に切り欠きを施し、凸部に滑り止め部を設けた正面図
【図６】  卓上カレンダー支持板下端部をくるむように挟んで、シート状又は成形した滑り止め部を設けた正面図
【図７】  卓上カレンダー支持板下端部に取り付けた、成形品の滑り止め部
【図８】  卓上カレンダー支持板下端部の切れ目を通し、連接する穴に８字状に輪ゴムを取り付けた正面図
【図９】  卓上カレンダー支持板両側下端の切り欠きと支持板下端面に輪ゴムをかけた正面図
【図１０】  卓上カレンダー支持板の下端部に、ゴム紐を装着した正面図
【考案を実施するための形態】
【００１６】  以下、本考案の実施の形態について、図面を参照して説明する。
図１に本考案の卓上カレンダー実施形態の第一の例を示す。
この卓上カレンダーは、例えば１月を１枚で構成した場合は１２枚からなり、月日を表示するカレンダー部３と、カレンダー前部支持板１及びカレンダー後部支持板２のそれぞれの上端が糊付け（ｃ１）されている。もしくはリング状の綴じ具で綴じられている。
【００１７】  また、一番手前に表紙（図示せず）とカレンダー部３、次にカレンダー前部支持板１、次にカレンダー後部支持板２のように構成され、カレンダー部３の天地長さＸと、カレンダー前部支持板１及びカレンダー後部支持板２のそれぞれの天地長さＹは、Ｘ＜Ｙの関係にある。しかし、カレンダー前部支持板１、カレンダー後部支持板２の天地長さは、同じでなくても良い。
【００１８】  図３、図４に示すように、カレンダー前部支持板１とカレンダー後部支持板２の下端部（特に下端面）に、液状のゴムや樹脂と液状の接着材の混合液を、吹きつけ、塗りつけ、どぶ付けなどの方法で付着させて乾燥固着し、図３に示す連続の滑り止め部６或いは図４に示す断続の滑り止め部７を形成している。もしくは図５のように、カレンダー前部支持板１とカレンダー後部支持板２の下端部に切り欠き９を設け、机上面５に接する凸部に前記の混合液を付着させ乾燥固着し滑り止め部８を形成している。
【００１９】  図６に示すのは、固形のゴムや樹脂のシート、或いは液状のゴムや樹脂と液状の接着材の混合液を付着乾燥し固着させたシート、または成形した固形のゴムや樹脂を、カレンダー前部支持板１及びカレンダー後部支持板２の下端部をＵ字形に挟んで貼り付けて接着固定している。図７は図６の側面図で、カレンダー支持板１、２に滑り止め部１０が装着されていることを示す。このような手段によって、滑り止め部４を施している。そのため起立角度∠Ａ（図２）を自由に変化させても、滑らずに立つ。なお、滑り止め手段に静電植毛を用いて樹脂を植毛しても、一定の滑り止め効果がある。
【００２０】  また、卓上カレンダーをピンやフック、釘などに吊り掛けられる穴を穿孔すれば、壁掛けや吊り下げるなどして使用出来る。カレンダー支持板の材質は、厚紙や樹脂シート等があるが特に限定しない。なお、月日を表示するカレンダー部３に表紙が含まれるのは当然のことである。
【００２１】  また、図２に示す第二の例は、カレンダー前部支持板１にｂ１、カレンダー後部支持板２にｂ２の折り筋を入れ、∠Ａを構成する側を内側とし、ｂ１で１を外側に折り曲げると∠ＡＢＣ、ｂ２で２を外側に折り曲げると∠ＤＥＦが生じ、カレンダー支持板部の起立角度が大きくなる。それによって上から押されると、カレンダー支持板に弾性が生じ、負荷に対する緩衝効果や復元効果が得られ安定して起立する。
【００２２】  また、図８、図９、図１０に示す第三の例は、輪ゴムやゴム紐を滑り止め部に使用している。図８に示すのは、カレンダー前部支持板１とカレンダー後部支持板２の下端部に、切れ目１１と穴１２を施し、輪ゴム１３を捻転し８字状にして装着している。
図９に示すのは、カレンダー前部支持板１とカレンダー後部支持板２の下端部両端に、切り欠き１４を施し、輪ゴム１５を装着している。
図１０に示すのは、カレンダー前部支持板１とカレンダー後部支持板２の下端部に、切れ目１６と穴１７を施し、ゴム紐１８が下端面をまたぐように順次穴１７に通して、切れ目１６で固定し装着している。
【００２３】  本考案における卓上カレンダーのカレンダー支持板部は、メモ用紙、スケッチ帳などに組み込んで、冊子状とすれば、起立するメモとして注意喚起効果があり、同様にスケッチ帳も起立させて使えば、描いたものをそのまま展示して楽しむことが出来るなど応用範囲が広い。
【符号の説明】
【００２４】１    卓上カレンダー前部支持板
２    卓上カレンダー後部支持板
３    カレンダー部
４    カレンダー支持板下端の滑り止め部
５    机上面
６    カレンダー支持板下端面の連続した滑り止め部
７    カレンダー支持板下端面の断続した滑り止め部
８    カレンダー支持板下端の切り欠き
９    カレンダー支持板下端の切り欠き凸部に施した滑り止め部
１０  カレンダー支持板下端を挟んで接着固定した滑り止め部
１１  輪ゴム装着用の切れ目
１２  輪ゴム装着用の穴
１３  ８字状にして穴に装着した輪ゴム
１４  輪ゴム装着用の切り欠き
１５  切り欠き部に装着した輪ゴム
１６  ゴムひも装着用切れ目
１７  ゴムひも装着用穴
１８  装着したゴムひも
∠Ａ  卓上カレンダーの起立角度
Ｘ    卓上カレンダー部の天地長さ
Ｙ    卓上カレンダー支持板の天地長さ
ｂ１  卓上カレンダー前部支持板下部の折り筋
ｂ２  卓上カレンダー後部支持板下部の折り筋
ｃ１  卓上カレンダー部上端部と支持板上端部の糊付け部
【図１】
0003173430.tif 000003
【図２】
0003173430.tif 000004
【図３】
0003173430.tif 000005
【図４】
0003173430.tif 000006
【図５】
0003173430.tif 000007
【図６】
0003173430.tif 000008
【図７】
0003173430.tif 000009
【図８】
0003173430.tif 000010
【図９】
0003173430.tif 000011
【図１０】
0003173430.tif 000012
【手続補正書】
【提出日】平成23年11月7日(2011.11.7)
【手続補正１】
【補正対象書類名】明細書
【補正対象項目名】全文
【補正方法】変更
【補正の内容】
【考案の詳細な説明】
【技術分野】
【０００１】  本考案は、卓上カレンダーに関する。
【背景技術】
【０００２】  従来の卓上カレンダーは、カレンダーを卓上に起立して使用するために、組み立て式の紙製ケースやプラスチックケースを別に用意し、カレンダー面が露出するようにケースに収納して使用する必要があった（特許文献１参照）。又は側面視三角筒形状として起立させていた（特許文献２参照）。
【先行技術文献】
【特許文献】
【０００３】
【特許文献１】特開平５−３４５８４２号公報
【特許文献２】特開２００８−０５５８１９号公報
【考案の概要】
【考案が解決しようとする課題】
【０００４】  従来の卓上カレンダーは、紙製のケースやプラスチックケースに収納し、または三角筒形状の支持具に取り付けるなどして、卓上に起立させていたため、ケースや支持具の形状による制約があり、一定の角度でしか起立できなかった。【０００５】  さらに、プラスチックケースなどを使用すると、廃棄する場合の環境問題や価格の低減に問題があった。【０００６】  本考案は上記の問題点を解決すべくなされたものであり、卓上カレンダーの起立角度を自由に変化させてカレンダーを見易くし、卓上に起立して使うこと、安価な商品として提供すること、廃棄の際も環境に配慮していることを課題とする。
【課題を解決するための手段】
【０００７】  本考案は以上の問題を解決するためになされたものであって、第１の考案は、複数枚の月日を表示しているカレンダー部と前部支持板と後部支持板のそれぞれの上端が接着され若しくはそれぞれの上端を綴じ具で綴じている卓上カレンダーにおいて、前部支持板と後部支持板の下端面部にそれぞれ滑り止め部を設けたことを特徴とする卓上カレンダーである。【０００８】  第２の考案は、カレンダー前部支持板とカレンダー後部支持板に、下端面と平行な折り筋を設けたことを特徴とする第１の考案記載の卓上カレンダーである。【０００９】  第３の考案は、カレンダー部の天地長さをＸとし、カレンダー前部支持板及びカレンダー後部支持板のそれぞれの長さをＹとし、Ｘ＜Ｙの関係にあることを特徴とする第１の考案又は第２の考案記載の卓上カレンダーである。【００１０】  第４の考案は、複数枚の月日を表示しているカレンダー部を、前部支持板と後部支持板で支持している卓上カレンダーにおいて、前部支持板と後部支持板のそれぞれの下部にゴムひもを取り付けられる穴または切り欠き、もしくは切れ目を設けたことを特徴とする卓上カレンダーである。
【考案の効果】
【００１１】  本考案による効果は、第１の考案によると、複数枚の月日を表示しているカレンダー部と前部支持板と後部支持板のそれぞれの上端が接着され若しくはそれぞれの上端を綴じ具で綴じている卓上カレンダーにおいて、前部支持板と後部支持板の下端面部に滑り止め部を設けたことを特徴とする卓上カレンダーであるから、それぞれの支持板下端面部に設けた滑り止め部が机上面に直接接して滑らないので、カレンダー支持板部が自由な角度で卓上に起立することが出来る。【００１２】  第２の考案によると、カレンダー支持板下部を図２のように折り曲げることにより、カレンダー支持板部の起立角度が大きくなり、安定した起立が可能になる。さらに、上から押されたときカレンダー支持板に弾性が生じ、負荷に対する緩衝効果や復元効果が得られる。【００１３】  第３の考案によると、カレンダー部の天地長さをＸとし、カレンダー前部支持板及びカレンダー後部支持板のそれぞれの長さをＹとし、Ｘ＜Ｙの関係にあることを特徴とする第１の考案又は第２の考案記載の卓上カレンダーであるから、起立角度（図２に示す∠Ａ）を大きくしてカレンダーを立てても、カレンダー部が直接机上面に接しないので、安定して起立する。【００１４】  第４の考案によると、市販の輪ゴムを簡単に装着出来て、輪ゴムの交換も容易である。輪ゴムが滑り止め部となり、机上面に直接接触することで、滑らずにカレンダー支持板部が自由な角度で卓上に起立することが出来る。
【図面の簡単な説明】
【００１５】
【図１】  本考案の卓上カレンダーの第一の実施形態を斜め前方より見た斜視図
【図２】  図１の卓上カレンダーの側面図
【図３】  卓上カレンダー支持板下端面部に連続的に滑り止め部を設けた斜視図
【図４】  卓上カレンダー支持板下端面部に断続的に滑り止め部を設けた斜視図
【図５】  卓上カレンダー支持板下端部に切り欠きを施し、凸部に滑り止め部を設けた正面図
【図６】  卓上カレンダー支持板下端部をくるむように挟んで、シート状又は成形した滑り止め部を設けた正面図
【図７】  卓上カレンダー支持板下端部に取り付けた、成形品の滑り止め部
【図８】  卓上カレンダー支持板下端部の切れ目を通し、連接する穴に８字状に輪ゴムを取り付けた正面図
【図９】  卓上カレンダー支持板両側下端の切り欠きと支持板下端面に輪ゴムをかけた正面図
【図１０】  卓上カレンダー支持板の下端部に、ゴム紐を装着した正面図
【考案を実施するための形態】
【００１６】  以下、本考案の実施の形態について、図面を参照して説明する。
図１に本考案の卓上カレンダー実施形態の第一の例を示す。
この卓上カレンダーは、例えば１月を１枚で構成した場合は１２枚からなり、月日を表示するカレンダー部３と、カレンダー前部支持板１及びカレンダー後部支持板２のそれぞれの上端が糊付け接着（ｃ１）されている。もしくはそれぞれの上端がリング状の綴じ具で綴じられている。
【００１７】  また、一番手前に表紙（図示せず）とカレンダー部３、次にカレンダー前部支持板１、次にカレンダー後部支持板２のように構成され、カレンダー部３の天地長さＸと、カレンダー前部支持板１及びカレンダー後部支持板２のそれぞれの天地長さＹは、Ｘ＜Ｙの関係にある。しかし、カレンダー前部支持板１、カレンダー後部支持板２の天地長さは、同じでなくても良い。
【００１８】  図３、図４に示すように、カレンダー前部支持板１とカレンダー後部支持板２の下端部（特に下端面）に、液状のゴムや樹脂と液状の接着材の混合液を、吹きつけ、塗りつけ、どぶ付けなどの方法で付着させて乾燥固着し、図３に示す連続の滑り止め部６或いは図４に示す断続の滑り止め部７を形成している。もしくは図５のように、カレンダー前部支持板１とカレンダー後部支持板２の下端部に切り欠き９を設け、机上面５に接する凸部に前記の混合液を付着させ乾燥固着し滑り止め部８を形成している。
【００１９】  図６に示すのは、固形のゴムや樹脂のシート、或いは液状のゴムや樹脂と液状の接着材の混合液を付着乾燥し固着させたシート、または成形した固形のゴムや樹脂を、カレンダー前部支持板１及びカレンダー後部支持板２の下端部をＵ字形に挟んで貼り付けて接着固定している。図７は図６の側面図で、カレンダー支持板１、２に滑り止め部１０が装着されていることを示す。このような手段によって、滑り止め部４を施している。そのため起立角度∠Ａ（図２）を自由に変化させても、滑らずに立つ。なお、滑り止め手段に静電植毛を用いて樹脂を植毛しても、一定の滑り止め効果がある。
【００２０】  また、卓上カレンダーをピンやフック、釘などに吊り掛けられる穴を穿孔すれば、壁掛けや吊り下げるなどして使用出来る。カレンダー支持板の材質は、厚紙や樹脂シート等があるが特に限定しない。なお、月日を表示するカレンダー部３に表紙が含まれるのは当然のことである。
【００２１】  また、図２に示す第二の例は、カレンダー前部支持板１にｂ１、カレンダー後部支持板２にｂ２の折り筋を入れ、∠Ａを構成する側を内側とし、ｂ１で１を外側に折り曲げると∠ＡＢＣ、ｂ２で２を外側に折り曲げると∠ＤＥＦが生じ、カレンダー支持板部の起立角度が大きくなる。それによって上から押されると、カレンダー支持板に弾性が生じ、負荷に対する緩衝効果や復元効果が得られ安定して起立する。
【００２２】  また、図８、図９、図１０に示す第三の例は、輪ゴムやゴム紐を滑り止め部に使用している。図８に示すのは、カレンダー前部支持板１とカレンダー後部支持板２の下端部に、切れ目１１と穴１２を施し、輪ゴム１３を捻転し８字状にして装着している。
図９に示すのは、カレンダー前部支持板１とカレンダー後部支持板２の下端部両端に、切り欠き１４を施し、輪ゴム１５を装着している。
図１０に示すのは、カレンダー前部支持板１とカレンダー後部支持板２の下端部に、切れ目１６と穴１７を施し、ゴム紐１８が下端面をまたぐように順次穴１７に通して、切れ目１６で固定し装着している。
【００２３】  本考案における卓上カレンダーのカレンダー支持板部は、メモ用紙、スケッチ帳などに組み込んで、冊子状とすれば、起立するメモとして注意喚起効果があり、同様にスケッチ帳も起立させて使えば、描いたものをそのまま展示して楽しむことが出来るなど応用範囲が広い。
【符号の説明】
【００２４】１    卓上カレンダー前部支持板
２    卓上カレンダー後部支持板
３    カレンダー部
４    カレンダー支持板下端の滑り止め部
５    机上面
６    カレンダー支持板下端面の連続した滑り止め部
７    カレンダー支持板下端面の断続した滑り止め部
８    カレンダー支持板下端の切り欠き
９    カレンダー支持板下端の切り欠き凸部に施した滑り止め部
１０  カレンダー支持板下端を挟んで接着固定した滑り止め部
１１  輪ゴム装着用の切れ目
１２  輪ゴム装着用の穴
１３  ８字状にして穴に装着した輪ゴム
１４  輪ゴム装着用の切り欠き
１５  切り欠き部に装着した輪ゴム
１６  ゴムひも装着用切れ目
１７  ゴムひも装着用穴
１８  装着したゴムひも
∠Ａ  卓上カレンダーの起立角度
Ｘ    卓上カレンダー部の天地長さ
Ｙ    卓上カレンダー支持板の天地長さ
ｂ１  卓上カレンダー前部支持板下部の折り筋
ｂ２  卓上カレンダー後部支持板下部の折り筋
ｃ１  卓上カレンダー部上端部と支持板上端部の糊付け部
【手続補正２】
【補正対象書類名】実用新案登録請求の範囲
【補正対象項目名】全文
【補正方法】変更
【補正の内容】
【実用新案登録請求の範囲】
【請求項１】
複数枚の月日を表示しているカレンダー部と前部支持板と後部支持板のそれぞれの上端が接着され若しくはそれぞれの上端を綴じ具で綴じている卓上カレンダーにおいて、前部支持板と後部支持板のそれぞれの下端面部に滑り止め部を設けたことを特徴とする卓上カレンダー。
【請求項２】
カレンダー前部支持板とカレンダー後部支持板に下端面と平行な折り筋を設けたことを特徴とする請求項１記載の卓上カレンダー。
【請求項３】
カレンダー部の天地長さをＸとし、カレンダー前部支持板及びカレンダー後部支持板のそれぞれの天地長さをＹとし、Ｘ＜Ｙの関係にあることを特徴とする請求項１又は請求項２記載の卓上カレンダー。
【請求項４】
複数枚の月日を表示しているカレンダー部を、前部支持板と後部支持板で支持している卓上カレンダーにおいて、前部支持板と後部支持板のそれぞれの下部にゴムひもを取り付けられる穴または切り欠き、もしくは切れ目を設けたこと特徴とする卓上カレンダー。